(57)【要約】【課題】  タッチセンサを表示パネルに設置した状態又はタッチセンサ付き表示装置を電子機器に組み込んだ状態でも、外部ノイズに対する調整が可能なタッチセンサ付き表示装置等を提供する。【解決手段】  本発明のタッチセンサ付き表示装置１は、表示パネル２と、表示パネル２に重ねて設けられた静電容量方式のタッチセンサ３と、タッチセンサ３と表示パネル２との距離Ｄを変える距離可変機構４と、を備えている。【選択図】  図１
2014157450.tif 000002
【特許請求の範囲】
【請求項１】
表示パネルと、
この表示パネルに重ねて設けられた静電容量方式のタッチセンサと、
このタッチセンサと前記表示パネルとの距離を変える距離可変機構と、
を備えたタッチセンサ付き表示装置。
【請求項２】
前記距離可変機構は、前記タッチセンサと前記表示パネルとの間の複数個所にそれぞれ設けられた、
請求項１記載のタッチセンサ付き表示装置。
【請求項３】
前記距離可変機構は、前記タッチセンサ及び前記表示パネルの一方に設けられたボルトと、前記タッチセンサ及び前記表示パネルの他方に設けられるととともに前記ボルトに嵌合されたナットとを有し、前記ボルト及び前記ナットのどちらか一方が回転すると前記タッチセンサと前記表示パネルとの距離が変わる、
請求項１又は２記載のタッチセンサ付き表示装置。
【請求項４】
前記距離可変機構は、前記タッチセンサ側に設けられた支柱と、前記表示パネル側に設けられるとともに前記支柱に係合された調整片とを有し、前記調整片が押されたり引かれたりすると前記タッチセンサと前記表示パネルとの距離が変わる、
請求項１又は２記載のタッチセンサ付き表示装置。
【請求項５】
請求項１乃至４のいずれか一つに記載のタッチセンサ付き表示装置に具備された前記距離可変機構を制御する制御システムであって、
前記タッチセンサから出力された検出信号を入力する信号入力部と、
この信号入力部が入力した前記検出信号を表示する表示モニタと、
前記タッチセンサと前記表示パネルとの距離を変えるための駆動力を前記距離可変機構へ供給する駆動部と、
この駆動部から前記距離可変機構へ供給される前記駆動力を電気的に制御する制御部と、
前記信号入力部が入力した前記検出信号に基づくタッチ位置を前記表示パネルに表示する指示部と、
を備えた制御システム。
【請求項６】
請求項５記載の制御システムを用い、
前記表示モニタに表示された前記検出信号に含まれる外部ノイズが小さくなるように、
前記制御部を操作することにより前記表示パネルと前記タッチセンサとの距離を調整する、
制御方法。
【請求項７】
前記外部ノイズが最小となるように前記制御部を操作する、
請求項６に記載の制御方法。
【請求項８】
前記タッチセンサによって検出されたタッチ位置と前記指示部によって前記表示パネルに表示されたタッチ位置との視差が許容範囲内となるように、かつ前記外部ノイズが最小となるように、前記制御部を操作する、
請求項７に記載の制御方法。
【発明の詳細な説明】
【技術分野】
【０００１】
本発明は、静電容量方式のタッチセンサを備えた表示装置であるタッチセンサ付き表示装置、並びに、その制御システム及び制御方法に関する。
【背景技術】
【０００２】
静電容量方式のタッチセンサを備えた表示装置では、表示パネルに近接して設置されたタッチセンサが表示パネルから発生するノイズの影響を受けることにより、タッチセンサの検出信号に多くのノイズが混入するので、タッチセンサによる位置検出の精度が低下してしまうという問題があった。
【０００３】
これに対して、特許文献１には、液晶パネルとタッチセンサとの間に導電層を設けることにより、液晶パネルからタッチセンサへ伝わるノイズを防止する技術が提案されている。以下、特許文献１に記載の技術について、詳しく説明する。
【０００４】
図１７に示すように、特許文献１には、液晶表示装置１０１、上透明基板１０２、下透明基板１０３、液晶層１０４、上透明電極１０５、下電極１０６、シール１０７、金属配線１０８、偏光板１０９、導電層１１０、導電材１１１、タッチパネル１１３、液晶パネル１１４、液晶パネルの側面１１６、表示領域ＤＡなどが開示されている。液晶表示装置１０１は、画像が表示される表示領域ＤＡを含む表面と表面を区画する側面とを有する液晶パネル１１４と、表面の上部に設置されるタッチパネル１１３とを備え、液晶パネル１１４とタッチパネル１１３との間に透光性の導電層１１０が形成され、導電層１１０の側端部の全周囲から液晶パネル１１４の側面１１６の全周囲にわたって導電材１１１が形成されている。この構成により、液晶パネル１１４側から放射される電磁波によってタッチパネル１１３が誤動作することを防止して、タッチパネル１１３による位置検出の精度を高めようとしている。
【０００５】
また、特許文献２では、液晶パネルとタッチセンサとの間に導電層（シールド層）を設けずに、液晶パネルからタッチセンサへ伝わるノイズの影響を抑える技術が提案されている。この技術は、検出信号の取得時における画像信号の諧調に応じて、その検出信号を補正して検出動作を行うものである。
【０００６】
一方、特許文献３では、タッチパネルの押圧により、タッチパネル内の電極間距離の変化が微小でも、タッチパネルと筺体との間の距離を変化させて良好な容量変化を得ることにより、位置検出の精度を高めようとする技術が提案されている。ただし、この技術におけるタッチパネルと筺体との距離の変化は、タッチパネルに対する押圧に起因するものである。
【先行技術文献】
【特許文献】
【０００７】
【特許文献１】特開２０１０−１６９７９１号公報「液晶表示装置」
【特許文献２】特開２０１０−２７１９２５号公報「表示装置および電子機器」
【特許文献３】特開２０１１−１９７９９１号公報「センサ装置および表示装置」
【発明の概要】
【発明が解決しようとする課題】
【０００８】
しかしながら、タッチセンサと表示パネルとが組み合わされたタッチセンサ付き表示装置の状態では、構造部材のバラツキや組立公差によって、タッチセンサにおける外部ノイズの影響に個体差が生じる。そのため、前述した特許文献１〜３の技術では、タッチセンサ付き表示装置を電子機器に組み込んだ際に、外部ノイズに対する最適値が一台ずつ異なっていても、電子機器に組み込んだ状態であるため調整ができないという問題があった。なお、外部ノイズとは、表示パネルが発する電気的ノイズの他に、タッチセンサ付き表示装置が組み込まれる電子機器自身が発する電気的ノイズをも意味するものとする。
【０００９】
そこで、本発明の目的は、タッチセンサを表示パネルに設置した状態又はタッチセンサ付き表示装置を電子機器に組み込んだ状態でも、外部ノイズに対する調整が可能なタッチセンサ付き表示装置等を提供することにある。
【課題を解決するための手段】
【００１０】
本発明に係るタッチセンサ付き表示装置は、
表示パネルと、
この表示パネルに重ねて設けられた静電容量方式のタッチセンサと、
このタッチセンサと前記表示パネルとの距離を変える距離可変機構と、
を備えたものである。
【００１１】
本発明に係る制御システムは、
本発明に係るタッチセンサ付き表示装置に具備された前記距離可変機構を制御する制御システムであって、
前記タッチセンサから出力された検出信号を入力する信号入力部と、
この信号入力部が入力した前記検出信号を表示する表示モニタと、
前記タッチセンサと前記表示パネルとの距離を変えるための駆動力を前記距離可変機構へ供給する駆動部と、
この駆動部から前記距離可変機構へ供給される前記駆動力を電気的に制御する制御部と、
前記信号入力部が入力した前記検出信号に基づくタッチ位置を前記表示パネルに表示する指示部と、
を備えたものである。
【００１２】
本発明に係る制御方法は、
本発明に係る制御システムを用い、
前記表示モニタに表示された前記検出信号に含まれる外部ノイズが小さくなるように、
前記制御部を操作することにより前記表示パネルと前記タッチセンサとの距離を調整するものである。
【発明の効果】
【００１３】
本発明によれば、タッチセンサと表示パネルとの距離を調整することにより、タッチセンサの検出信号に重畳するノイズを抑制することができる。また、タッチセンサの検出信号に重畳するノイズを検知しながら、ノイズを所望の値になるようにタッチセンサと表示パネルとの距離を調整することができる。また、タッチセンサと表示パネルとが組み合わされた状態、又はタッチセンサ付き表示装置が電子機器に組み込まれた状態でも、タッチ位置の検出精度を高めることができる。更に、タッチセンサを表示パネルに設置した状態又はタッチセンサ付き表示装置を電子機器に組み込んだ状態で調整するため、一台ごとに異なる個々の部材の相性にとらわれず、タッチ位置の検出精度を高めることができる。
【図面の簡単な説明】
【００１４】
【図１】実施形態１のタッチセンサ付き表示装置を示す平面図である。
【図２】図１におけるII−II線断面図である。
【図３】図２におけるタッチセンサを拡大して示す断面図である。
【図４】図２における距離可変機構を拡大して示す断面図であり、図４［Ａ］はタッチセンサと表示パネルとの距離を大きくする場合であり、図４［Ｂ］はタッチセンサと表示パネルとの距離を小さくする場合である。
【図５】実施形態１の制御システムを示す機能ブロック図である。
【図６】図５における制御システムの一部を示す平面図である。
【図７】図５における制御システムの全体を示す外観図である。
【図８】実施形態１の制御方法を示すフローチャートである。
【図９】図８における制御方法において、調整用のタッチ位置を予め画面に表示した表示パネルを示す平面図である。
【図１０】図２におけるタッチセンサから出力された検出信号の３Ｄ波形を示すグラフであり、タッチセンサに指がタッチされない場合である。
【図１１】図２におけるタッチセンサから出力された検出信号の３Ｄ波形を示すグラフであり、タッチセンサに指がタッチされた場合である。
【図１２】図２におけるタッチセンサから出力された検出信号の３Ｄ波形を示すグラフであり、図５における制御システムによって外部ノイズを抑えた場合である。
【図１３】実施形態２のタッチセンサ付き表示装置を示す断面図である。
【図１４】図１３における距離可変機構を拡大して示す断面図であり、図１４［Ａ］はタッチセンサと表示パネルとの距離を大きくする場合であり、図１４［Ｂ］はタッチセンサと表示パネルとの距離を小さくする場合である。
【図１５】実施形態２の制御システムの一部を示す平面図である。
【図１６】実施形態２の制御システムの全体を示す外観図である。
【図１７】特許文献１に記載の技術を示し、図１７［Ａ］は断面図、図１７［Ｂ］は平面図である。
【発明を実施するための形態】
【００１５】
以下、添付図面を参照しながら、本発明を実施するための形態（以下「実施形態」という。）について説明する。なお、本明細書及び図面において、実質的に同一の構成要素については同一の符号を用いる。図面に描かれた形状は、当業者が理解しやすいように描かれているため、実際の寸法及び比率とは必ずしも一致していない。
【００１６】
図１は実施形態１のタッチセンサ付き表示装置を示す平面図である。図２は、図１におけるII−II線断面図である。図３は、図２におけるタッチセンサを拡大して示す断面図である。図４は図２における距離可変機構を拡大して示す断面図であり、図４［Ａ］はタッチセンサと表示パネルとの距離を大きくする場合であり、図４［Ｂ］はタッチセンサと表示パネルとの距離を小さくする場合である。以下、これらの図面に基づき説明する。
【００１７】
本実施形態１のタッチセンサ付き表示装置１は、表示パネル２と、表示パネル２に重ねて設けられた静電容量方式のタッチセンサ３と、タッチセンサ３と表示パネル２との距離Ｄを変える距離可変機構４と、を備えている。
【００１８】
距離可変機構４は、タッチセンサ３と表示パネル２との間の複数個所にそれぞれ設けられている。本実施形態１では、タッチセンサ３及び表示パネル２が四角形状であるため、四角形の四隅すなわち四個所にそれぞれ設けられている。
【００１９】
距離可変機構４は、タッチセンサ３側に設けられたボルト４１と、表示パネル２側に設けられるととともにボルト４１に嵌合されたナット４２とを有し、ナット４２が回転するとタッチセンサ３と表示パネル２との距離Ｄが変わる。なお、表示パネル２側にボルト４１を設け、タッチセンサ３側にナット４２を設けてもよいし、ボルト４１が回転するとタッチセンサ３と表示パネル２との距離Ｄが変わるようにしてもよい。
【００２０】
本実施形態１のタッチセンサ付き表示装置１について、更に詳しく説明する。
【００２１】
図１及び図２に示すように、タッチセンサ３は、表示パネル２の上に設けられ、複数の距離可変機構４を介して表示パネル２に支持されている。表示パネル２は、例えば液晶パネルである。タッチセンサ３は、静電容量の変化によって、指やペン（物体）の接触を検出する、静電容量方式である。
【００２２】
図２に示すように、表示パネル２は、基板２１〜２４の積層体、基板２１〜２４を収容する筐体２５、筐体２５の周縁に設けられた枠部２６などを有する。基板２１〜２４は、液晶パネルを構成する部品であり、例えばＴＦＴ基板、カラーフィルタ基板、偏光板、プリント基板などである。
【００２３】
図３に示すように、タッチセンサ３は、フロントカバー３１、接着剤３２，３４、基板３３，３５、透明電極（Ｙ方向）３６、透明電極（Ｘ方向）３７などの積層体であり、１層以上のガラス又はＰＥＴ（ポリエチレンテレフタラート）からなる基板３３，３５に多数の透明電極３６，３７が配置された構造を採る。透明電極３６と透明電極３７とは、互いに対向するように配置され、それぞれ図示しない配線により、制御システム５（図５）に電気的に接続される。
【００２４】
図４に示すように、タッチセンサ３と表示パネル２との間には、タッチセンサ３とタッチセンサ３との距離Ｄを調整する複数の距離可変機構４が設けられている。距離可変機構４は、タッチセンサ３を支える支柱としてのボルト４１と、ボルト４１を上下動させる上下送り手段としてのナット４２とを有する、ねじ送り機構である。ボルト４１はタッチセンサ３に固定され、ナット４２は表示パネル２に回転可能に固定されている。そのため、ナット４２が回転することにより、ボルト４１及びタッチセンサ３が表示パネル２に対して上下動するので、タッチセンサ３とタッチセンサ３との距離Ｄが変化する。なお、ナット４２の外周は例えば歯車になっている。
【００２５】
図５は、実施形態１の制御システムを示す機能ブロック図である。図６は、図５における制御システムの一部を示す平面図である。図７は、図５における制御システムの全体を示す外観図である。以下、これらの図面に基づき説明する。
【００２６】
図５に示すように、本実施形態１の制御システム５は、タッチセンサ付き表示装置１に具備された距離可変機構４を制御する制御システムであって、タッチセンサ３から出力された検出信号を入力する信号入力部５１と、信号入力部５１が入力した検出信号を表示する表示モニタ５２と、タッチセンサ３と表示パネル２との距離Ｄを変えるための駆動力を距離可変機構４へ供給する駆動部５３と、駆動部５３から距離可変機構４へ供給される駆動力を電気的に制御する制御部５４と、信号入力部５１が入力した検出信号に基づくタッチ位置を表示パネル２に表示する指示部５５と、を備えている。
【００２７】
換言すると、制御システム５は、タッチセンサ３から出力される検出信号を処理する信号入力部５１と、信号入力部５１が得た情報を表示する表示モニタ５２と、表示パネル２にタッチ位置を指示する指示部５５と、距離可変機構４を駆動する駆動部５３と、駆動部５３を制御する制御部５４と、を備えている。
【００２８】
図６及び図７に示すように、駆動部５３は、ナット４２の外周に噛み合う歯車５３１と、歯車５３１を回転させるモータ５３２と、を有する。駆動部５３は基台５０に固設され、タッチセンサ付き表示装置１は基台５０に着脱可能に固定される。信号入力部５１、制御部５４及び指示部５５は、例えばパーソナルコンピュータ５６にソフトウェアによって実現されている。パーソナルコンピュータ５６は、本体５６１、キーボード５６２などを有する。本体５６１は、タッチセンサ付き表示装置１に配線５６３を介して電気的に接続され、モータ５３２に配線５６４を介して電気的に接続されている。なお、歯車５３１の歯は図示していない。
【００２９】
図８は、実施形態１の制御方法を示すフローチャートである。図９は、調整用のタッチ位置を予め画面に表示した表示パネルを示す平面図である。図１０乃至図１２は、タッチセンサから出力される検出信号（電気信号）を３Ｄ波形で示したグラフである。以下、図５及び図８乃至図１２に基づき本実施形態１の制御方法について説明する。
【００３０】
図５を中心に、本実施形態１の制御方法の概要を説明する。本実施形態１の制御方法は、本実施形態１の制御システム５を用い、表示モニタ５２に表示された検出信号に含まれる外部ノイズが小さくなるように、制御部５４を操作することにより表示パネル２とタッチセンサ３との距離Ｄを調整する。このとき、外部ノイズが最小となるように、制御部５４を操作するようにしてもよい。また、タッチセンサ３によって検出されたタッチ位置と指示部５５によって表示パネル２に表示されたタッチ位置との視差が許容範囲内となるように、かつ外部ノイズが最小となるように、制御部５４を操作するようにしてもよい。
【００３１】
図５及び図８を中心に、本実施形態１の制御方法の詳細を説明する。
【００３２】
図８（ステップＳ１）：信号入力部５１は、タッチセンサ３に指Ｆが触れていない時のタッチセンサ３から出力された検出信号を取得する。
【００３３】
図８（ステップＳ２）：表示モニタ５２は、取得したデータを画面に表示する。図１０に示すように、その取得したデータはランダムなノイズとなっている。このとき、タッチセンサ３には指Ｆが接触していないため、表示された値は外部からタッチセンサ３に飛来した外部ノイズである。なお、図１０乃至図１２において、Ｘ軸及びＹ軸は位置座標を示し、Ｚ軸は信号強度を示す。
【００３４】
図８（ステップＳ３）：操作者は、表示モニタ５２に表示された値を観ながら、キーボード５６２等の入力装置によって制御部５４を操作することにより、駆動部５３を駆動させ、距離可変機構４のボルト４１（図４）及びタッチセンサ３を上下させる。
【００３５】
図８（ステップＳ４）：操作者は、表示モニタ５２に表示された値が所望の値（最小）になるように、距離可変機構４を調整する。この調整が完了したら、次のステップＳ５へ進む。
【００３６】
図８（ステップＳ５）：指示部５５は、図９に示すように、これからタッチセンサ３のどの位置に指Ｆを触れるかを、すなわちタッチセンサ３のタッチ位置３０１〜３０４を、予め表示パネル２に表示する。タッチ位置３０１〜３０４は、タッチセンサ３の四隅に相当する四箇所である。
【００３７】
図８（ステップＳ６）：操作者は、表示パネル２に表示されたタッチ位置３０１〜３０４のいずれか一つを指Ｆで触れる。すると、信号入力部５１は、タッチセンサ３から出力された検出信号を取得する。
【００３８】
図８（ステップＳ７）：表示モニタ５２は、信号入力部５１が取得したデータを画面に表示する。図１１に示すように、その取得したデータは真の検出信号に外部ノイズが混入した状態になっている。つまり、ステップＳ２で表示された値は外部ノイズのみであるのに対して、ステップＳ７で表示された値はタッチセンサ３を指Ｆで触れた時の値と外部ノイズの値との両方である。
【００３９】
図８（ステップＳ８）：操作者は、表示モニタ５２に表示された値を観ながら制御部５４を操作することにより、駆動部５３を駆動させ、距離可変機構４のボルト４１（図４）及びタッチセンサ３を上下させる。
【００４０】
図８（ステップＳ９）：操作者は、表示モニタ５２に表示された外部ノイズの値が所望の値（最小）になるように、距離可変機構４を調整する。この調整が完了したら、次のステップＳ１０へ進む。図１２に示すように、調整後の表示画面は、外部ノイズが除去されて真の信号のみとなっている。
【００４１】
図８（ステップＳ１０）：操作者は、表示パネル２に表示されたタッチ位置３０１〜３０４の全てについて、調整が終了したか否かを確認する。
【００４２】
以上のように、本実施形態１によれば、タッチセンサ３からのデータを表示モニタ５２で観察しながら、距離可変機構４を動かすことにより、外部ノイズが所望の値になるよう調整することができる。なお、本実施形態１では、その所望の値は表示モニタ５２に表示される外部ノイズが最小となる値である。
【００４３】
また、距離可変機構４を動かしたことにより、タッチセンサ３と表示パネル２との距離Ｄが空きすぎて、タッチセンサ３によって検出されたタッチ位置と指示部５５によって表示パネル２に表示されたタッチ位置とに視差を生じる場合がある。この場合は、その視差が許容できる距離Ｄの範囲内で、外部ノイズが最小値になるように距離可変機構４を調整する。
【００４４】
なお、説明の都合上、タッチセンサ３の四隅にそれぞれ距離可変機構４を設けたが、画面サイズ等に応じて距離可変機構４を多く又は少なく設けてもよい。距離調整箇所が複数個所ある場合は、更に位置検出の精度を高めることができる。
【００４５】
本実施形態１の効果は次のとおりである。タッチセンサ３と表示パネル２との距離Ｄを調整することにより、タッチセンサ３の出力信号に重畳するノイズを抑制することができる。また、タッチセンサ３の出力信号に重畳するノイズを検知しながら、ノイズを所望の値になるようにタッチセンサ３と表示パネル２との距離Ｄを調整することができる。また、タッチセンサ３と表示パネル２とが組み合わされた状態、又はタッチセンサ付き表示装置１が電子機器に組み込まれた状態でも、タッチ位置の検出精度を高めることができる。更に、タッチセンサ３を表示パネル２に設置した状態又はタッチセンサ付き表示装置１を電子機器に組み込んだ状態で調整するため、一台ごとに異なる個々の部材の相性にとらわれず、タッチ位置の検出精度を高めることができる。なお、タッチセンサ付き表示装置１が組み込まれる電子機器には、例えば、携帯電話機、情報携帯端末等が挙げられる。
【００４６】
図１３は、実施形態２のタッチセンサ付き表示装置を示す断面図である。図１４は、図１３における距離可変機構を拡大して示す断面図であり、図１４［Ａ］はタッチセンサと表示パネルとの距離を大きくする場合であり、図１４［Ｂ］はタッチセンサと表示パネルとの距離を小さくする場合である。図１５は、実施形態２の制御システムの一部を示す平面図である。図１６は、実施形態２の制御システムの全体を示す外観図である。以下、これらの図面に基づき、本実施形態２について説明する。
【００４７】
図１３に示すように、本実施形態２のタッチセンサ付き表示装置６は、距離可変機構７の構造が実施形態１と異なる。距離可変機構７は、タッチセンサ３側に設けられた支柱７１と、表示パネル２側に設けられるとともに支柱７１に係合された調整片７２とを有し、調整片７２が押されたり引かれたりするとタッチセンサ３と表示パネル２との距離Ｄが変わる。換言すると、距離可変機構７は、支柱７１を上下に移動する手段を、ボルトとナットとの螺合手段ではなく、調整片７２押し込んだり引き出したりすることにより、支柱７１がスライドして上下に移動する係合手段としている。
【００４８】
図１４に示すように、支柱７１の先端は斜面７３となっており、調整片７２の先端は突起７４となっている。斜面７３と突起７４とが接触することにより、調整片７２に加わる力と支柱７１に加わる力とは方向が９０度異なる。つまり、調整片７２が水平方向へ動くと、支柱７１は上下方向に動く。支柱７１及び調整片７２は、表示パネル２の枠部２６に一定の圧力で嵌め込まれているので、一定以上の強い力が加わると枠部２６に対してスライドして移動し、その力が加わらなくなるとその位置に固定される。
【００４９】
図１５及び図１６に示すように、距離可変機構７に構造に合わせて、駆動部５３には押圧片５３３が付加されている。押圧片５３３の側面とモータ５３２の回転軸に取り付けられた歯車５３１とは、例えばラック・アンド・ピニオンの構造になっており、モータ５３２の回転運動が押圧片５３３の直線運動に変換される。押圧片５３３のもう一方の側面には斜面５３４が設けられており、斜面５３４と調整片７２の基端側の突起７５とが接触する。例えば、調整片７２を最大に引き出した状態で、押圧片５３３によって調整片７２を少しずつ押し込み、調整片７２を最適な位置に固定する。
【００５０】
本実施形態２によれば、実施形態１に比べ距離可変機構７の構造が簡易であることにより、利便性の高い位置精度の向上を達成することができる。本実施形態２のその他の構成、作用及び効果は、実施形態１のそれらと同様である。
【００５１】
以上、上記各実施形態を参照して本発明を説明したが、本発明は上記各実施形態に限定されるものではない。本発明の構成や詳細については、当業者が理解し得るさまざまな変更を加えることができる。例えば、駆動部の代わりに人力によって距離可変機構を調整してもよいし、表示パネルとして有機ＥＬパネルなどを用いてもよい。また、本発明には、上記各実施形態の構成の一部又は全部を相互に適宜組み合わせたものも含まれる。
【００５２】
上記の実施形態の一部又は全部は以下の付記のようにも記載され得るが、本発明は以下の構成に限定されるものではない。
【００５３】
［付記１］表示パネルと、
この表示パネルに重ねて設けられた静電容量方式のタッチセンサと、
このタッチセンサと前記表示パネルとの距離を変える距離可変機構と、
を備えたタッチセンサ付き表示装置。
【００５４】
［付記２］前記距離可変機構は、前記タッチセンサと前記表示パネルとの間の複数個所にそれぞれ設けられた、
付記１記載のタッチセンサ付き表示装置。
【００５５】
［付記３］前記距離可変機構は、前記タッチセンサ及び前記表示パネルの一方に設けられたボルトと、前記タッチセンサ及び前記表示パネルの他方に設けられるととともに前記ボルトに嵌合されたナットとを有し、前記ボルト及び前記ナットのどちらか一方が回転すると前記タッチセンサと前記表示パネルとの距離が変わる、
付記１又は２記載のタッチセンサ付き表示装置。
【００５６】
［付記４］前記距離可変機構は、前記タッチセンサ側に設けられた支柱と、前記表示パネル側に設けられるとともに前記支柱に係合された調整片とを有し、前記調整片が押されたり引かれたりすると前記タッチセンサと前記表示パネルとの距離が変わる、
付記１又は２記載のタッチセンサ付き表示装置。
【００５７】
［付記５］付記１乃至４のいずれか一つに記載のタッチセンサ付き表示装置に具備された前記距離可変機構を制御する制御システムであって、
前記タッチセンサから出力された検出信号を入力する信号入力部と、
この信号入力部が入力した前記検出信号を表示する表示モニタと、
前記タッチセンサと前記表示パネルとの距離を変えるための駆動力を前記距離可変機構へ供給する駆動部と、
この駆動部から前記距離可変機構へ供給される前記駆動力を電気的に制御する制御部と、
前記信号入力部が入力した前記検出信号に基づくタッチ位置を前記表示パネルに表示する指示部と、
を備えた制御システム。
【００５８】
［付記６］付記５記載の制御システムを用い、
前記表示モニタに表示された前記検出信号に含まれる外部ノイズが小さくなるように、
前記制御部を操作することにより前記表示パネルと前記タッチセンサとの距離を調整する、
制御方法。
【００５９】
［付記７］前記外部ノイズが最小となるように前記制御部を操作する、
付記６に記載の制御方法。
【００６０】
［付記８］前記タッチセンサによって検出されたタッチ位置と前記指示部によって前記表示パネルに表示されたタッチ位置との視差が許容範囲内となるように、かつ前記外部ノイズが最小となるように、前記制御部を操作する、
付記７に記載の制御方法。
【００６１】
［付記１１］表示装置と、この表示装置に重ねて形成された静電容量方式のタッチセンサと、を備えたタッチセンサ付き表示装置において、
前記タッチセンサと前記表示パネルとの距離を調整する距離調整機構を有する、
ことを特徴とするタッチセンサ付き表示装置。
【００６２】
［付記１２］前記距離調整機構は複数個所ある、
付記１１記載のタッチセンサ付き表示装置。
【００６３】
［付記１３］表示装置と、この表示装置に重ねて形成された静電容量方式のタッチセンサと、前記表示装置と前記タッチセンサとの距離を調整する距離調整機構と、前記距離調整機構を制御するコントローラと、を備え、
前記コントローラは、前記タッチセンサからの出力信号を処理する処理装置と、この処理装置が得た情報を表示する表示モニタと、前記距離調整機構を駆動する駆動手段と、この駆動手段を制御する制御手段と、前記表示装置にタッチ位置を示すポインタを表示する指示手段と、を備えたことを特徴する制御システム。
【００６４】
［付記１４］前記表示モニタに表示されたタッチセンサから出力された値を観ながら、重畳された外部ノイズが所望の値になるように、前記表示装置と前記タッチセンサとの距離を調整する、
付記１３記載の制御システム。
【００６５】
［付記１５］前記所望の値は前記外部ノイズが最小となる値である、
付記１４記載の制御システム。
【００６６】
［付記１６］前記所望の値は、前記タッチセンサと前記表示パネルとの距離が離れすぎて、前記タッチセンサにおけるタッチ位置と前記表示装置に表示されたタッチ位置との間の視差が生じた場合に、当該視差が許容される範囲内で、前記外部ノイズが最小となる値である、
付記１５記載の制御システム。
【符号の説明】
【００６７】
１  タッチセンサ付き表示装置
２  表示パネル
２１〜２４  基板
２５  筐体
２６  枠部
３  タッチセンサ
３０１〜３０４  タッチ位置
３１  フロントカバー
３２，３４  接着剤
３３，３５  基板
３６  透明電極（Ｙ方向）
３７  透明電極（Ｘ方向）
４  距離可変機構
４１  ボルト
４２  ナット
５  制御システム
５０  基台
５１  信号入力部
５２  表示モニタ
５３  駆動部
５３１  歯車
５３２  モータ
５３３  押圧片
５３４  斜面
５４  制御部
５５  指示部
５６  パーソナルコンピュータ
５６１  本体
５６２  キーボード
５６３，５６４  配線
６  タッチセンサ付き表示装置
７  距離可変機構
７１  支柱
７２  調整片
７３  斜面
７４，７５  突起
Ｄ  距離
Ｆ  指
【図１】
2014157450.tif 000003
【図２】
2014157450.tif 000004
【図３】
2014157450.tif 000005
【図４】
2014157450.tif 000006
【図５】
2014157450.tif 000007
【図６】
2014157450.tif 000008
【図７】
2014157450.tif 000009
【図８】
2014157450.tif 000010
【図９】
2014157450.tif 000011
【図１０】
2014157450.tif 000012
【図１１】
2014157450.tif 000013
【図１２】
2014157450.tif 000014
【図１３】
2014157450.tif 000015
【図１４】
2014157450.tif 000016
【図１５】
2014157450.tif 000017
【図１６】
2014157450.tif 000018
【図１７】
2014157450.tif 000019